(57)【要約】【課題】タンクユニットの取り外し時にタンクユニットの突然の落下を防止することが可能なタンク保持構造を提供することを目的とする。【解決手段】本発明に係るタンク保持構造によれば、ユーザ等がタンクユニット４０の取り外し操作を行った際に、タンクユニット４０は一旦切り欠き部６４ｃの位置で必ず係止されるため、ユーザ等の意図に反して突然落下することは無い。よって、タンクユニット４０の取り外し時の安全性が向上するとともに、ユーザ等はタンクユニット４０の取り外し操作を片手で容易に行うことができる。【選択図】図４
2010007901.tif 000002
【特許請求の範囲】
【請求項１】
液体を貯留するタンクユニットの両側面に形成されたストッパリブと、
前記タンクユニットが着脱可能な設置部の前記ストッパリブに対応する位置に形成された保持体と、を備えたタンク保持構造において、
前記ストッパリブが、
前記保持体と係合することで前記タンクユニットを前記設置部の所定の位置に保持する係合部と、
前記タンクユニットに対する取り外し操作を行った際に前記保持体を一時的に係止する切り欠き部と、
当該切り欠き部に前記保持体を導くスロープ部と、
前記保持体を前記ストッパリブから出し入れ可能な取り外し部と、
前記切り欠き部に係止された保持体の前記取り外し部への移動を制限する段差部と、
を有することを特徴とするタンク保持構造。
【発明の詳細な説明】
【技術分野】
【０００１】
本発明は、空間の上部に設置するとともに液体を貯留するタンクを備えた電気機器等のタンク保持構造に関し、特にタンクを取り外す際の落下を防止するタンク保持構造に関するものである。
【背景技術】
【０００２】
液体を貯留するタンクを備えた電気機器としては、例えば空間に水等の噴霧液をミスト化して噴霧し加湿を行う噴霧装置が挙げられる。これら噴霧装置などの液体を貯留するタンクを備えた電気機器等は、一般家庭の室内などの比較的面積の広い空間においては床に設置することが可能であるが、設置スペースの少ない車両内等の比較的狭い空間や電気機器等の存在が外観上好ましくない一般企業のフロアやディスプレイ内等では、空間の上部である天井等に設置するタイプのものを使用することが好ましい。
【０００３】
上記のような空間の上部に設置する噴霧装置の例としては、下記［特許文献１］に開示された発明が挙げられる。尚、以降は液体を貯留するタンクを備えた電気機器として、噴霧装置を例に用いて説明を行う。
【０００４】
【特許文献１】特開２００７−３１５６３３号公報
【発明の開示】
【発明が解決しようとする課題】
【０００５】
空間の上部に設置するタイプの噴霧装置においても床に設置するタイプの噴霧装置と同様、噴霧液を貯留するタンクユニットを取り外してタンクユニット内に水等の噴霧液を供給する必要がある。しかしながら、空間の上部に設置するタイプの噴霧装置の場合、ユーザ等がタンクユニットの取り外し操作を行った直後に、タンクユニットが突然外れて落下する危険性があり、更なる改善が望まれる。
【０００６】
本発明は上記事情に鑑みてなされたものであり、タンクユニットの取り外し時にタンクユニットの突然の落下を防止することが可能なタンク保持構造を提供することを目的とする。
【課題を解決するための手段】
【０００７】
本発明は、
液体を貯留するタンクユニット４０の両側面に形成されたストッパリブ６０と、
前記タンクユニット４０が着脱可能な設置部３０の前記ストッパリブ６０に対応する位置に形成された保持体６２と、を備えたタンク保持構造において、
前記ストッパリブ６０が、前記保持体６２と係合することで前記タンクユニット４０を前記設置部３０の所定の位置に保持する係合部６４ａと、
前記タンクユニット４０に対する取り外し操作を行った際に前記保持体６２を一時的に係止する切り欠き部６４ｃと、
当該切り欠き部６４ｃに前記保持体６２を導くスロープ部６４ｂと、
前記保持体６２を前記ストッパリブ６０から出し入れ可能な取り外し部６４ｅと、
前記切り欠き部６４ｃに係止された保持体６２の前記取り外し部６４ｅへの移動を制限する段差部６４ｄと、
を有することを特徴とするタンク保持構造を提供することにより、上記課題を解決する。
【発明の効果】
【０００８】
本発明に係るタンク保持構造は、上記の構成により、
タンクユニットの取り外し操作を行った際に、タンクユニットを保持する設置部側の保持体がタンクユニット側のストッパリブに形成された切り欠き部で一旦係止される。そして、この保持体はユーザ等がストッパリブに形成された段差部を意図的に越えさせるまで外れることはない。よって、取り外し操作直後にタンクユニットが突然外れて落下することが無く、タンクユニットの取り外し操作を安全に行うことができる。
【発明を実施するための最良の形態】
【０００９】
本発明に係るタンク保持構造の実施の形態について図面に基づいて説明する。図１は、本発明に係るタンク保持構造を備えた噴霧装置の設置例を示す図である。図２は、本発明に係るタンク保持構造を備えた噴霧装置の設置部を示す図である。図３は、本発明に係るタンク保持構造を備えた噴霧装置のタンクユニットを示す図である。図４は、本発明に係るタンク保持構造による取り外し操作を説明する図である。
【００１０】
先ず、本発明に係るタンク保持構造を用いた噴霧装置１００の一例を図１〜図３を用いて説明する。尚、ここでは、車載用の噴霧装置を例に用いて説明を行うが、本発明は特に車載用に限定されるものではなく、空間の上部に設置するタイプの噴霧装置に対して適用が可能である。また、本発明に係るタンク保持構造は特に噴霧装置に限定されるものではなく、液体の気化熱を利用した冷風装置や空間の湿気を捕集してタンク内に貯留する除湿装置等のタンク保持構造としても適用が可能である。
【００１１】
図１に示す噴霧装置１００は、車両の天井部１に設置される設置部３０と、ミストとなる噴霧液（液体）を貯留するタンク部８０を備え設置部３０に着脱可能なタンクユニット４０と、を有している。そして、噴霧装置１００は車両のバッテリ等から電源ケーブル１２を介して電力を取得し、噴霧装置１００の各部に対し電力を供給する。また、設置部３０とタンクユニット４０とは、着脱ボタン５０を操作することにより、後述するタンクユニット４０の取り外し操作を行うことができる。尚、設置部３０には必要に応じて空調設備や照明等の付随設備１０を設けても良い。本例においては、付随設備１０として車内を照らすルームライトを設けた例を示す。
【００１２】
次に、上記の設置部３０とタンクユニット４０とを、図２、図３を用いて更に詳しく説明する。
【００１３】
図２は、タンクユニット４０を取り外した状態の設置部３０をタンクユニット４０の設置面側、即ち噴霧装置１００の設置状態における下方向から示した図である。噴霧装置１００の設置部３０は、タンクユニット４０とは別に独立して動作する付随設備１０と、電源ケーブル１２と、タンクユニット４０を取り外す際に押下する着脱ボタン５０と、タンクユニット４０が設置可能な取り付け部３８と、を有している。また、設置部３０の内部には、付随設備１０及び設置部３０の各部を制御する付随設備制御部と、電源ケーブル１２から供給される電力を付随設備１０とタンクユニット４０とに供給する電力供給部と、を備えた設置部制御基板３４を有している。また、設置部制御基板３４の所定の位置には接触型の電源コネクタ３６ａが設置され、設置部３０はこの電源コネクタ３６ａを介してタンクユニット４０に電力を供給する。
【００１４】
設置部３０の取り付け部３８の両側面には、本発明に係るタンク保持構造を構成する保持体６２が形成され、また、取り付け部３８におけるタンクユニット４０の設置面には、設置部３０を車両の天井部１などにネジ等の締結部材を用いて固定するための設置孔１４と、設置部制御基板３４上の電源コネクタ３６ａを露出させるための電源コネクタ口３３ａと、タンクユニット４０の取り外し操作に用い着脱ボタン５０と連動して動作するホック部５２と、同じく着脱ボタン５０と連動してタンクユニット４０の取り外し方向に突出する着脱リブ５６と、を有している。
【００１５】
また図３は、設置部３０から取り外した状態のタンクユニット４０をタンクユニット４０の設置面側、即ち噴霧装置１００の設置状態における上方向から示した図である。噴霧装置１００のタンクユニット４０内には、ミストとなる噴霧液を貯留するタンク部８０と、ミスト噴霧手段７０を制御する噴霧手段制御部を備えるとともにタンクユニット４０の各部を制御するタンクユニット制御基板４６と、を有している。また、タンクユニット４０には、タンク部８０に貯留された噴霧液をミスト化し噴霧口７２から空間に噴霧するミスト噴霧手段７０と、設置部３０のホック部５２と係合する受け部５４と、を有している。更に、タンクユニット４０の両側面には、本発明に係るタンク保持構造を構成し、設置部３０の保持体６２とそれぞれ対応するストッパリブ６０が形成されている。そして、設置部３０の保持体６２にストッパリブ６０をそれぞれ係合することにより、タンクユニット４０を設置部３０の取り付け部３８に保持することができる。
【００１６】
また、タンクユニット４０のタンク部８０は、タンク部８０内に噴霧液を供給するための供給口８２を有しており、供給口８２はキャップ８２ａにより開閉可能となっている。また、タンクユニット４０のタンクユニット制御基板４６は、設置部３０の電源コネクタ３６ａと接触することで設置部３０から電力を取得する電源コネクタ３６ｂを有しており、電源コネクタ３６ｂはタンクユニット４０の所定の位置に形成された電源コネクタ口３３ｂにより露出している。尚、電源コネクタ口３３ｂには、タンク部８０への供給時に噴霧液等が電源コネクタ３６ｂに付着することを防止するスライド式の保護カバー１６を設けても良い。
【００１７】
噴霧液としては水道水の他、保湿性を有するヒアルロン酸水溶液や芳香成分が溶解した水溶液等、人体に悪影響を及ぼさない各種の液体を用いることができる。また、噴霧液に電解液を用いるとともに、タンクユニット４０の所定の部位にタンク部８０内に貯留された噴霧液（電解液）を電解する電解手段を設け、電解手段で電解された電解液をミスト化して空間に噴霧するようにしても良い。この構成によれば、噴霧される電解液の効果により空間に存在する病原体や花粉による健康被害をさらに抑制することが可能となる。尚、一般的な水道水中には消毒のための次亜塩素酸化合物が溶解しており、この次亜塩素酸化合物は水の電解を助けるため水道水をそのまま電解液として使用しても良い。
【００１８】
また、タンクユニット４０には、タンク部８０内の噴霧液が凍結した場合に、凍結した噴霧液を融解させるための加熱手段を設けても良い。
【００１９】
尚、上記の噴霧装置１００では、タンクユニット４０側にミスト噴霧手段７０と噴霧手段制御部とを設けた例を用いているが、噴霧手段制御部を設置部制御基板３４上に形成するとともにミスト噴霧手段７０を設置部３０側に設けても良い。
【００２０】
次に、噴霧装置１００の使用法を説明する。先ず、設置部３０の電源ケーブル１２と車両のバッテリ等からのケーブルとを接続する。次に、タンクユニット４０に対して後述する取り外し操作を行い設置部３０からタンクユニット４０を取り外す。次に、設置部３０の設置孔１４に所定の締結部材を挿入し、設置部３０を車両の天井部１などに固定する。
【００２１】
次に、タンク部８０のキャップ８２ａを取り外し供給口８２を開栓する。また、保護カバー１６をスライドさせて電源コネクタ口３３ｂを閉鎖する。次に、供給口８２から例えば水道水などの噴霧液をタンク部８０内に供給する。そして、タンク部８０内に所定量の噴霧液が貯留されたところで供給を停止し、キャップ８２ａを供給口８２に取り付けて供給口８２を閉栓する。タンク部８０内に所定量の噴霧液が貯留されると、ミスト噴霧手段７０はタンク部８０に貯留された噴霧液を吸液する。
【００２２】
次に、保護カバー１６をスライドさせてタンクユニット４０の電源コネクタ口３３ｂを開け電源コネクタ３６ｂを露出させた後、タンクユニット４０を設置部３０の取り付け部３８に取り付ける。このとき、設置部３０の電源コネクタ３６ａとタンクユニット４０の電源コネクタ３６ｂとは接続状態となり、タンクユニット４０に対し電源コネクタ３６ａ、３６ｂを介して電力が供給される。
【００２３】
次に、噴霧装置１００の図示しないミスト噴霧スイッチを操作する。これにより、噴霧手段制御部がミスト噴霧手段７０を動作させ、ミスト噴霧手段７０はタンク部８０から吸液した噴霧液をミスト化して噴霧口７２から空間に噴霧する。また、付随設備１０に対する図示しない付随設備操作スイッチを操作することで、噴霧装置１００の付随設備１０がミスト噴霧手段７０とは別に独立して所定の動作を行う。
【００２４】
次に、本発明に係るタンク保持構造によるタンクユニット４０の取り外し操作を図４を用いて説明する。
【００２５】
先ず、設置部３０の取り付け部３８にタンクユニット４０が設置されている状態では、図４（ａ）に示すように、取り付け部３８の両側面に形成された保持体６２がタンクユニット４０の両側面に形成されたストッパリブ６０の係合部６４ａにそれぞれ係合している。これにより、タンクユニット４０は設置部３０の取り付け部３８に保持される。
【００２６】
次に、ユーザ等が設置部３０の着脱ボタン５０を押下して、設置部３０のホック部５２とタンクユニット４０の受け部５４との係合状態を解除する。このとき、着脱リブ５６がタンクユニット４０の取り外し方向に所定量突出し、タンクユニット４０が取り外し方向に押出される。これにより、図４（ｂ）に示すように、設置部３０の保持体６２はストッパリブ６０を構成するスロープ部６４ｂに沿って導かれストッパリブ６０の切り欠き部６４ｃに落ち込む。そして、タンクユニット４０はこの位置で一時的に係止される。尚、切り欠き部６４ｃに位置する保持体６２は、切り欠き部６４ｃに隣接する段差部６４ｄによって取り外し部６４ｅへの移動が制限されているため、保持体６２が自然に取り外し部６４ｅから外れることはない。
【００２７】
次に、ユーザ等はタンクユニット４０を一旦持ち上げた状態で取り外し方向にスライドさせる。これにより、保持体６２は図４（ｃ）に示すように段差部６４ｄを越え、段差部６４ｄと隣接して設けられた取り外し部６４ｅの位置に移動する。そして、図４（ｄ）に示すように、保持体６２をストッパリブ６０の取り外し部６４ｅから抜き出すことで、タンクユニット４０は設置部３０から取り外される。
【００２８】
タンクユニット４０を設置部３０に取り付ける際には、保持体６２をストッパリブ６０の取り外し部６４ｅにそれぞれ差し入れた後、取り付け方向にスライドさせることでストッパリブ６０の係合部６４ａにそれぞれ係合する。このとき、着脱リブ５６はタンクユニット４０により押圧され設置部３０内の所定の位置に収容されるとともに、設置部３０のホック部５２とタンクユニット４０の受け部５４とが係合状態となる。これにより、タンクユニット４０は設置部３０の取り付け部３８に取り付けられる。
【００２９】
図１の例に示すように、噴霧装置１００等を車両等の天井部１に設置して使用する場合、噴霧装置１００は常に水平状態にあるとは限らないため、単純にタンクユニット４０をスライドさせて取り外すタンク保持構造では、車両等の駐車状態によっては取り外し操作を行った直後にタンクユニット４０が自重によって取り外し方向にスライドし脱落する危険性がある。しかしながら、本発明に係るタンク保持構造によれば、タンクユニット４０を保持するストッパリブ６０が切り欠き部６４ｃと段差部６４ｄとを有するため、タンクユニット４０は段差部６４ｄが障壁となって切り欠き部６４ｃの位置で一旦停止し、ユーザ等が段差部６４ｄを意図的に越えさせるまで外れることは無い。
【００３０】
以上のことから、本発明に係るタンク保持構造によれば、ユーザ等がタンクユニット４０の取り外し操作を行った際に、タンクユニット４０は一旦切り欠き部６４ｃの位置で必ず係止されるため、ユーザ等の意図に反して突然落下することは無い。よって、タンクユニット４０の取り外し時の安全性が向上するとともに、ユーザ等はタンクユニット４０の取り外し操作を片手で容易に行うことができる。
【００３１】
尚、本例では本発明に係るストッパリブ６０をタンクユニット４０の両側面に２つずつ設けた例を示したが、本発明に係るストッパリブ６０を一対としてもう一対を少なくとも係合部６４ａと取り外し部６４ｅとを備えた所定形状のリブとしても良い他、本発明は本発明の要旨を逸脱しない範囲で変更して実施することが可能である。
【図面の簡単な説明】
【００３２】
【図１】本発明に係るタンク保持構造を備えた噴霧装置の設置例を示す図である。
【図２】本発明に係るタンク保持構造を備えた噴霧装置の設置部を示す図である。
【図３】本発明に係るタンク保持構造を備えた噴霧装置のタンクユニットを示す図である。
【図４】本発明に係るタンク保持構造による取り外し操作を説明する図である。
【符号の説明】
【００３３】
３０      設置部
４０      タンクユニット
６０      ストッパリブ
６２      保持体
６４ａ    係合部
６４ｂ    スロープ部
６４ｃ    切り欠き部
６４ｄ    段差部
６４ｅ    取り外し部
【図１】
2010007901.tif 000003
【図２】
2010007901.tif 000004
【図３】
2010007901.tif 000005
【図４】
2010007901.tif 000006